(57)【特許請求の範囲】
【請求項１】
塵埃を真空吸引する吸引部と、吸引した塵埃を貯留するためのタンクと、上記吸引部をタンク部の上位に配置した装置本体を有する真空掃除機において、
下位のタンクを着脱可能に載置するために、装置本体の下部に設けた載置部と、上記載置部の上方の装置本体に、一端部にて回転可能に軸支したハンドルと、上記タンク上に吸引部を載置して塵埃の吸引作業を行い、タンクの上方に吸引部を離間させて塵埃の排出作業を行うために、吸引部をその重心よりも上位にて上記ハンドルに軸支した吊り下げ軸とを具備し、
上記吸引部の吊り下げ軸の軸支点位置が、ほぼＵ字型のハンドル先端部の軸支点位置を通る垂線に対して後方へ移動したときに吸引部の前部が上方へ傾斜するように、上記吊り下げ軸の軸支点位置よりも下方にて、ハンドル側の係合部と係合する係合相手部を吸引部に設けたことを特徴とする
真空掃除機における吸引部昇降装置。
【請求項２】
載置部は、タンクを載置する箇所に設けたタンク位置決め部を有し、装置本体は、上記タンク位置決め部の左右を囲む左右側枠部とタンクの背面に立ち上がる立て枠部及び導電性材より成る移動手段を有しており、ハンドルは吸引部の正面を囲むほぼＵ字型に形成するとともに、ハンドルの左右先端部にて左右側枠部側に軸支し、吸引部の吊り下げ軸の軸支点位置が、ほぼＵ字型のハンドルの軸支点位置を通る垂線の前後に移動可能に構成された請求項１記載の真空掃除機における吸引部昇降装置。
【請求項３】
タンク上に吸引部を載置して塵埃の吸引作業を行う体勢に固定するために、装置本体の左右側枠部側に設けたロックピンと、ハンドル位置を固定するために、ハンドルに設けたロックピンの差し込み孔とから成る吸引時ロック部を有している
請求項２記載の真空掃除機における吸引部昇降装置。
【請求項４】
吸引部をタンクの上方に離間させて塵埃の排出作業を行う体勢に固定するために、装置本体の左右側枠部側に設けた係止レバーと、上記係止レバーに係止する位置のハンドルに設けた係止ピン及びハンドルを後方へ移動した位置に受け止める受け止めピンとから成る排出時ロック部を有している
請求項２又は３記載の真空掃除機における吸引部昇降装置。
【発明の詳細な説明】
【技術分野】
【０００１】
本発明は、塵埃を真空吸引する吸引部と、吸引した塵埃を貯留するためのタンクと、上記吸引部をタンク部の上位に配置した装置本体を有する真空掃除機における吸引部昇降装置に関するものである。
【背景技術】
【０００２】
真空掃除機では、異物を吸引してパックフィルターとも通称されている袋状容器に捕集し、捕集した異物は装置本体から取り出したパックフィルターごと廃棄する、いわゆる使い捨て方式が現在の真空掃除機の主流になっている。パックフィルターを取り出すときには、袋状容器を余り加圧することのないように、容器収容部を開く必要がある。パックを加圧すると、内部に捕集されている塵埃を漏れ出させる等の不都合を生じることになるからである。
【０００３】
これに対し、特に工業用の真空掃除機には、塵埃を真空吸引する吸引部と、吸引した塵埃を貯留するためのタンクを上下に配置した構成を取るものがあり、パックフィルターはタンクに配置されているので、パックフィルターを取り出すには、吸引部とタンクを離してやる必要がある。しかし、吸引部が上位に位置する配置の場合、モーターと吸引ブロワ及び２次フィルターが組み込まれている吸引部は重いので、これを持ち上げ、取り外すのは負担が大きいという問題がある。
【０００４】
このような状態に鑑みて、本発明者は、先に真空掃除機における回収タンクの着脱装置を開発し、その成果について出願をし、それは特開２００８−２９５７８３号として公開されている。同号の発明は、吸引機部の回収タンクに対する接離移動を補助するために伸縮式の加圧器具を含む加圧手段を装備している。そして、作業者に係る負担を軽減するため加圧器具にはガススプリングと呼ばれるピストンシリンダー装置を使用しており、そのため、吸引機部をタンクから離し得る距離がガススプリングのストロークに影響されるとともに、上下動しかできないためタンクに対して吸引機部を必要な距離移動させることが困難である。また、ガススプリングを使用することで生産コストも上昇し、製品価格を押し上げる原因にもなっている。
【０００５】
また、上記のガススプリングは、オイルとガスを、シールパッキングを用いて封入した構造を有しており、経年変化、使用場所等の雰囲気によりシールの劣化によりオイル、ガスの漏れの心配がある。本発明の真空掃除機は、クリーンルーム等も主な使用対象とするが、上記オイルやガスの漏れも上記の清浄な環境を損なう原因となる。また、コイルスプリング等を使用した構造の場合には、昇降レバーのヒンジ部に、常時荷重が掛かることになり、ヒンジ部の磨耗が促進されて微細粉の発生することも考えられる。このように、吸引機部の回収タンクに対する接離移動を補助するために、ガス式、バネ式を問わずスプリング類を用いることは好ましいものではない。
【０００６】
【特許文献１】特開２００８−２９５７８３号
【発明の開示】
【発明が解決しようとする課題】
【０００７】
本発明は前記の点に着目してなされたもので、その課題は、ガススプリングなどの特別の装置を使用することなく、また、ばね類を使用しなくても軽快に操作できる真空掃除機における吸引部昇降装置を提供することである。また、本発明の他の課題は、微細塵埃を吸引捕集したパックフィルターを、パックフィルターに加圧力を加えずに容易に取り出せるように、必要な移動ストロークを容易に得ることができ、かつ、タンクの上面を十分に開口することができる真空掃除機における吸引部昇降装置を提供することである。
【課題を解決するための手段】
【０００８】
前記の課題を解決するため、本発明は、塵埃を真空吸引する吸引部と、吸引した塵埃を貯留するためのタンクと、上記吸引部をタンク部の上位に配置した装置本体を有する真空掃除機において、下位のタンクを着脱可能に載置するために、装置本体の下部に設けた載置部と、上記載置部の上方の装置本体に、一端部にて回転可能に軸支したハンドルと、上記タンク上に吸引部を載置して塵埃の吸引作業を行い、タンクの上方に吸引部を離間させて塵埃の排出作業を行うために、吸引部をその重心よりも上位にて上記ハンドルに軸支した吊り下げ軸とを具備し、上記吸引部の吊り下げ軸の軸支点位置が、ほぼＵ字型のハンドル先端部の軸支点位置を通る垂線に対して後方へ移動したときに吸引部の前部が上方へ傾斜するように、上記吊り下げ軸の軸支点位置よりも下方にて、ハンドル側の係合部と係合する係合相手部を吸引部に設けるという手段を講じたものである。
【０００９】
本発明の装置は真空掃除機を対象とし、特に微細塵埃を吸引捕集するパックフィルターを使用する真空掃除機に適用して、顕著な効果を発揮するものである。対象となる真空掃除機は装置本体を有し、その下位にタンクを配置し、タンクの上位に吸引部を配置した構成を取っている。
【００１０】
本発明の装置は、下位のタンクを着脱可能に載置するために、装置本体の下部に設けた載置部と、上記載置部の上方の装置本体に、一端部にて回転可能に軸支したハンドルと、上記タンク上に吸引部を載置して塵埃の吸引作業を行い、タンクの上方に吸引部を離間させて塵埃の排出作業を行うために、吸引部をその重心よりも上位にて上記ハンドルに軸支した吊り下げ軸とを具備している。
【００１１】
従って、ハンドルは一端部を支点とし、吊り下げ軸を作用点とし、他端部を力点とするテコを構成し得るから、このテコ作用によって吸引部を軽快に持ち上げることができる。また、吸引部をその重心よりも上位にて上記ハンドルに軸支した構成のために、吸引部を常に正立の姿勢に一定させることができる。
【００１２】
本発明の装置では、載置部のタンクを載置する箇所に設けたタンク位置決め部を有し、装置本体は、上記タンク位置決め部の左右を囲む左右側枠部とタンクの背面に立ち上がる立て枠部及び導電性材より成る移動手段を有するものとし、ハンドルは吸引部の正面を囲むほぼＵ字型に形成するとともに、ハンドルの左右先端部にて左右側枠部に軸支し、吸引部の吊り下げ軸の軸支点位置が、ほぼＵ字型のハンドル先端部の軸支点位置を通る垂線の前後に移動可能に構成することが望ましい。
【００１３】
上記の望ましい構成においては、タンク上に吸引部を載置して塵埃の吸引作業を行う体勢に固定するために、装置本体の左右側枠部側に設けたロックピンを有し、かつ、ハンドル位置を固定するために、ハンドルに設けたロックピンの差し込み孔とから成る吸引時ロック部を有している。タンク上に吸引部が載った姿勢に固定することにより、安全に吸引作業が行える。
【００１４】
さらに、吸引部の吊り下げ軸の軸支点位置が、ほぼＵ字型のハンドル先端部の軸支点位置を通る垂線に対して後方へ移動したときに吸引部の前部が上方へ傾斜するように、上記吊り下げ軸の軸支点位置よりも下方にて、ハンドル側の係合部と係合する係合相手部を吸引部に設けることが望ましい。これによって、上方へ離れた吸引部の前部がさらに上方へ傾斜し、タンク上の空間をより広げることができる。
【００１５】
吸引部をタンクの上方に離間させて塵埃の排出作業を行う体勢に固定するために、装置本体の左右側枠部側に設けた係止レバーと、上記係止レバーに係止する位置のハンドルに設けた係止ピンとから成る排出時ロック部を有しているものとする。これにより、安全に塵埃の排出作業を行うことができる。
【発明の効果】
【００１６】
本発明は以上のように構成されかつ作用するものであるから、ガススプリングなどの特別の装置を使用することなく、また、バネ類を使用しなくてもハンドルのテコ作用によって軽快に操作できる真空掃除機における吸引部昇降装置を提供することができる。また、本発明によれば、必要な移動ストロークを容易に得ることができ、かつ、タンクの上面を十分に開口することができるので、微細塵埃を吸引捕集したパックフィルターを、パックフィルターに加圧力を加えずに容易に取り出せるようになるという効果を奏する。
【発明を実施するための最良の形態】
【００１７】
以下図示の実施形態を参照して、本発明をより詳細に説明する。図１は本発明に係る吸引部昇降装置を適用した真空掃除機１０の一例を示しており、１１は塵埃を真空吸引する吸引部、１２は吸引した塵埃を貯留するためのタンクである。吸引部１１はタンク１２の上位に配置されており、円筒型の形状を有する２次フィルター１１ａを具備している。タンク１２は装置本体１７に着脱可能に載置されており、内部には１次フィルター１２ａが配置される。１１ｂはカバーであり、タンク１２の開口を覆って閉塞する。上記１次フィルター１２ａにはＨＥＰＡフィルターに準ずる性能を有するフィルターを用い、２次フィルター１１ａにはＨＥＰＡフィルターを用いることを想定している。
【００１８】
吸引部１１は、下部の主ブロワ１３と、主ブロワ１３を駆動するモーター１４及び同じくモーター１４によって駆動される冷却ブロワ１５を具備しており、冷却ブロワ１５は上部の吸引口１５ａから冷却気を吸引する。タンク１２は、側面に接続口部１６を有し、接続口部１６には、吸引ノズルなどを有する吸引パイプ又はその接続パイプ（図示せず）が着脱可能に取り付けられる。なお、１６ａはロックボルトであり、接続口部１６のメネジ部にねじ込んで取り付け、先端部１６ｂが吸引パイプのロック溝に入り込み抜け止めとなるように付勢されている。先端部１６ｂの付勢のために内蔵されたバネは吸引パイプの着脱に作用するだけであり、ごく小さいので影響は無視できる程度である。接続口部１６の内側には、１次フィルター１２ａが吸引口１２ｂの部分で着脱可能に取り付けられる。
【００１９】
装置本体１７は、その下部に設けた載置部１８を有するとともに、載置部１８の左右を囲む左右側枠部１９ｌ、１９ｒと、タンク１２の背面に立ち上がる立て枠部１９ｂ及び導電性材より成る移動手段を有している。載置部１８には、タンク１２を載置する箇所にタンク位置決め部１８ａを設けており、図示の位置決め部１８ａはシリコンゴム片をボルト止めしたもので、タンク外周面に接する位置に４箇所設置されている（図２等参照）。上記の左右側枠部１９ｌ、１９ｒは、後述するようにハンドル２１の取り付け部を提供する部分でもあり、下端は載置部１８の前部に、上端はタンク上位にて立て枠部１９ｂに接続されている。そして、導電性を有する図示の移動手段は、導電性ゴムから成る車輪と金属製の車軸及び軸受け部を有する、キャスター２０ａ、２０ｂによって構成されている。
【００２０】
上記装置本体１７の載置部１８の上方に位置する、左右側枠部１９ｌ、１９ｒの付け根付近には基板１７ａが取り付けてあり、その基板１７ｌ、１７ｒに、ハンドル２１が一端部２１ａにて回転可能に軸支されている。図示のハンドル２１は、吸引部１１の正面を囲むほぼＵ字型に形成され、Ｕ字の左右先端部をハンドル２１の一端部２１ａとして、左右側枠部側の上記基板１７ｌ、１７ｒに軸支したものである。ハンドル２１はテコを構成しており、一端部２１ａは支点、Ｕ字の曲り部の他端部２１ｂはテコの力点となる。
【００２１】
上記タンク上に吸引部１１を載置して塵埃の吸引作業を行い、タンク１２の上方に吸引部１１を離間させて塵埃の排出作業を行うために、吸引部１１をその重心Ｇの位置よりも上位の位置にて上記ハンドル１２に軸支した吊り下げ軸２２を具備している。即ち、吸引部１１はその重心Ｇの位置よりも上位の位置にて、吊り下げ軸２２によってハンドル２１に回転可能に吊り下げられ、常に一定の正立姿勢を取るようにされている。また、吸引部１１の吊り下げ軸２２の軸支点位置が、ほぼＵ字型のハンドル２１の軸支点位置である一端部２１ａを通る垂線の前後に移動可能に構成されている。上記吊り下げ軸２２はテコの作用点になる。
【００２２】
装置本体１７は、タンク上に吸引部１１を載置して塵埃の吸引作業を行う体勢に固定するために、図示の左側枠部１９ｌに設けたロックピン２３ａと、ハンドル位置を固定するために、ハンドル２１に設けたロックピン２３ａの差し込み孔２３ｂとから成る吸引時ロック部２３を有している（図３、図４参照）。図示の例では、左側枠部１９ｌの基板１７ｌにのみロック部２３を取り付けているので、ロックピン２３ａはその板面から外方へ出没可能に設けられている。
【００２３】
また、吸引部１１の吊り下げ軸２２の軸支点位置が、ほぼＵ字型のハンドル先端部の軸支点位置（２１ａ）を通る垂線Ｖに対して、前方から後方へ移動したときに吸引部１１の前部が上方へ傾斜するように（図５参照）、上記吊り下げ軸２２の軸支点位置よりも下方にて、ハンドル側の係合部２４と係合する係合相手部２５を吸引部側に設けている。図示の例では、係合部２４としてハンドル２１に内方へ向けてピンが取り付けてあり、係合相手部２５としては、吸引部１１の円筒型の２次フィルター１１ａの左右両側に帯板状部材が取り付けられ、その後縁が係合相手部２５となる。
【００２４】
さらに本発明では、吸引部１１をタンク１２の上方に離間させて塵埃の排出作業を行う体勢に固定するために、装置本体１７の左右側枠部側に設けた係止レバー２６と、上記係止レバー２６に係止する位置のハンドル２１に設けた係止ピン２７及びハンドル２１を後方へ移動した位置に受け止める受け止めピン２８とから成る排出時ロック部２９を設けている。図示の例では、係止レバー２６は左側枠部１９ｌの基板１７ｌに軸２６ａを用いて回転可能に軸支してあり、ハンドル２１に外方へ向けて取り付けた係止ピン２７と係止する位置に前方へ向いた姿勢にて設置されている（図１、図３ないし図７参照）。なお、係止レバー２６は、係止ピン２７との係合及び離脱のために上下に回転可能であれば良い。
【００２５】
このような構成を有する本発明の装置では、真空掃除機１０の使用状態において、タンク１２は、シリコンゴム片より成る位置決め部１８ａで位置決めされている。タンク１２の開口部は吸引部１１のカバー１１ｂで覆われているとともに、吸引部１１の荷重が加わっており、さらに、吸引時ロック部２３のロックピン２３ａが差し込み孔２３ｂに差し込まれているので、気密の状態にて安定している。よって、吸引ノズルなどを有する吸引パイプによる作業を通じて、ＨＥＰＡフィルターに準ずる性能を有するフィルターを用いた１次フィルター１２ａと、ＨＥＰＡフィルターを用いた２次フィルター１１ａによって、微細塵埃を効果的に吸引することができる。
【００２６】
上記作業の終了後、吸引部１１をタンク１２の上方に離間させて塵埃の排出作業を行うには、ロックピン２３ａを差し込み孔２３ｂから引き抜いて吸引時ロック部２３を解除した上で、ハンドル２１の他端部２１ｂを持ち上げ、後方へ回してやるとハンドル２１は後側にて受け止めピン２８に受け止められ、かつ、係止ピン２７が係止レバー２６を一旦押し上げてそのフック部２６ｂに係止し、吸引部１１の前部が上方へ傾斜する体勢になり、タンク１２の開口を大きく開くことができる。よって、タンク内部から、微細塵埃等が吸引、捕集されているパック状の１次フィルター１２ａを無理なく取り出すことができる。このように、本発明によれば、タンクの上面を十分に開口させることができ、１次フィルター１２ａを無駄に加圧する恐れがないので、一度捕集した微細塵埃等を漏れ出させる恐れがなく、バネ類も使用しないので清浄な環境を損なうこともない。
【図面の簡単な説明】
【００２７】
【図１】本発明に係る吸引部昇降装置を適用した真空掃除機の一例を示す側面説明図である。
【図２】同上の真空掃除機の正面図である。
【図３】同上における吸引部昇降装置の一例を示す斜視図である。
【図４】同じく吸引部昇降装置の一部を示すもので、Ａは非ロック状態、Ｂはロック状態を示す平面図である。
【図５】同じく吸引部を後上方へ移動させた状態を示す部分正面図である。
【図６】吸引作業時の拡大部分側面図である
【図７】１次フィルターを取り出す状態の説明図である。
【符号の説明】
【００２８】
１０  真空掃除機
１１  吸引部
１２  タンク
１３  ブロワ
１４  モーター
１５  冷却ブロワ
１６  接続口部
１７  装置本体
１８  載置部
１９ｌ、１９ｒ  左右の側枠部
２０ａ、２０ｂ  導電性のキャスター
２１  ハンドル
２２  吊り下げ軸
２３  吸引時ロック部
２４  係合部
２５  係合相手部
２６  係止レバー
２７  係止ピン
２８  受け止めピン
２９  排出時ロック部
【図１】
0005707223.tif 000002
【図２】
0005707223.tif 000003
【図３】
0005707223.tif 000004
【図４】
0005707223.tif 000005
【図５】
0005707223.tif 000006
【図６】
0005707223.tif 000007
【図７】
0005707223.tif 000008